(57)【要約】【課題】  移動局装置および固定局装置を含む情報処理装置間で効率良くデータを送受信して情報を共有することのできる情報管理システムを提供する。【解決手段】  移動局装置１１は、移動局に備えられており、その移動局にて収集されるデータを記録し、データの変化分を示す差分情報を所定の周期で固定局に送信する。固定局装置１５は、固定局に備えられ、移動局にて収集されるデータと同じ内容のミラーデータを移動局に対応させて保持している。そして、固定局装置１５は、移動局装置１１から差分情報を受信すると、その差分情報に従ってミラーデータを更新し、他装置１６が移動局にて収集されるデータを所望するとき移動局装置１１に代わってそのデータに対応するミラーデータを他装置１６に提供する。【選択図】      図１
2005258582.tif 000002
【特許請求の範囲】
【請求項１】
固定局と移動局でデータを共有するための情報管理システムであって、
前記移動局に備えられており、該移動局にて収集されるデータを記録し、前記データの変化分を示す差分情報を所定の周期で前記固定局に送信する移動局装置と、
前記固定局に備えられ、前記移動局にて収集される前記データと同じ内容のミラーデータを該移動局に対応させて保持しており、前記移動局装置から前記差分情報を受信すると、該差分情報に従って前記ミラーデータを更新し、他装置が前記移動局にて収集される前記データを所望するとき前記移動局装置に代わって該データに対応する前記ミラーデータを前記他装置に提供する固定局装置とを有する情報管理システム。
【請求項２】
前記移動局装置と前記固定局装置の間の通信は、前記固定局装置と前記他装置の間の通信に比べて伝送容量が小さい、請求項１記載の情報管理システム。
【請求項３】
前記移動局装置と前記固定局装置の間の通信経路は無線区間を含み、前記固定局装置と前記他装置の間の通信経路は有線である、請求項２記載の情報管理システム。
【請求項４】
前記移動局装置が前記差分情報を前記固定局に送る前記周期は、前記データの種類毎の時間特性に応じて定められる、請求項１〜３のいずれか１項に記載の情報管理システム。
【請求項５】
複数の前記移動局がグループを構成し、前記固定局装置が前記グループの構成情報を管理しており、
前記固定局装置は、前記グループに関連するデータを前記移動局装置に送信するとき、該データを送る必要のある前記移動局装置を前記構成情報に基づいて抽出し、抽出された該移動局装置のみに該データを送る、請求項１〜４のいずれか１項に記載の情報共有システム。
【請求項６】
前記固定局装置は、前記構成情報において、前記グループに属する前記移動局を変更することができる、請求項５記載の情報管理システム。
【請求項７】
固定局と移動局でデータを共有するシステムにおいて、前記移動局に備えられる移動局装置であって、
前記移動局におけるデータを収集するデータ収集手段と、
前記データ収集手段で収集された前記データを記録するデータ管理手段と、
前記データと同じ内容のミラーデータを前記固定局に構成し、前記固定局にて他装置からの要求に応じて前記ミラーデータを提供可能とするために、所定の周期で、前記データ管理手段に記録された前記データの変化分を差分情報として求め、前記差分情報を前記固定局に送信する差分通知手段とを有する移動局装置。
【請求項８】
前記固定局との間の通信は、前記固定局と前記他装置の間の通信に比べて伝送容量が小さい、請求項７記載の移動局装置。
【請求項９】
前記固定局との間の通信経路は無線区間を含む、請求項８記載の移動局装置。
【請求項１０】
前記差分情報を前記固定局に送る前記周期は、前記データの種類毎の時間特性に応じて定められる、請求項７〜９のいずれか１項に記載の移動局装置。
【請求項１１】
固定局と移動局でデータを共有するシステムにおいて、前記固定局に備えられる固定局装置であって、
前記移動局にて収集されるデータと同じ内容のミラーデータを該移動局に対応させて保持するデータ管理手段と、
前記移動局から、前記データの変化分を示す差分情報を受信すると、該差分情報に従って前記ミラーデータを更新する差分受信手段と、
他装置が前記移動局にて収集される前記データを所望するとき前記移動局に代わって該データに対応する前記ミラーデータを前記他装置に提供する共有処理手段とを有する固定局装置。
【請求項１２】
前記移動局との間の通信は、前記他装置との間の通信に比べて伝送容量が小さい、請求項１１記載の固定局装置。
【請求項１３】
前記移動局との間の通信経路が無線区間を含み、前記他装置との間の通信経路が有線である、請求項１２記載の固定局装置。
【請求項１４】
複数の前記移動局により構成されたグループの構成情報を管理する構成管理手段と、
前記グループに関連するデータを前記移動局に送信するとき、該データを送る必要のある前記移動局を前記構成情報に基づいて抽出する送信データ抽出手段と、
前記送信データ抽出手段で抽出された該移動局のみに該データを送るデータ送信手段とをさらに有する、請求項１１〜１３のいずれか１項に記載の固定局装置。
【請求項１５】
前記構成管理手段は、前記構成情報において、前記グループに属する前記移動局を変更することができる、請求項１４記載の固定局装置。
【請求項１６】
固定局と移動局でデータを共有するシステムにおいて前記移動局に備えられるコンピュータにて実行するプログラムであって、
データ収集手段が、前記移動局におけるデータを収集する処理と、
データ管理手段が、前記データ収集手段で収集された前記データを記録する処理と、
前記データと同じ内容のミラーデータを前記固定局に構成し、前記固定局にて他装置からの要求に応じて前記ミラーデータを提供可能とするために、前記差分通知手段が、所定の周期で、前記データ管理手段に記録された前記データの変化分を差分情報として求め、前記差分情報を前記固定局に送信する処理とを前記コンピュータに行わせるためのプログラム。
【請求項１７】
固定局と移動局でデータを共有するシステムにおいて前記固定局に備えられるコンピュータで実行するプログラムであって、
データ管理手段が、前記移動局にて収集されるデータと同じ内容のミラーデータを該移動局に対応させて保持する処理と、
差分受信手段が、前記移動局から、前記データの変化分を示す差分情報を受信すると、該差分情報に従って前記ミラーデータを更新する処理と、
前記共有処理手段が、他装置が前記移動局にて収集される前記データを所望するとき前記移動局に代わって該データに対応する前記ミラーデータを前記他装置に提供する処理とを前記コンピュータに行わせるためのプログラム。
【発明の詳細な説明】
【技術分野】
【０００１】
本発明は、移動局と固定局で相互に情報を送受信することにより、移動局と固定局における情報の共有を図る情報管理システムに関する。
【背景技術】
【０００２】
複数の情報処理装置で情報を共有し、所望の処理に利用するシステムの例としてリモートファイルシステムがある（例えば、特許文献１参照）。リモートファイルシステムでは、各情報処理装置は通信回線で相互に接続可能であり、情報処理装置は通信回線を用いて他の情報処理装置にアクセスし、そこに記録されているファイルを取得することができる。このようなシステムによれば、各情報処理装置は、全ての必要な情報を自身で記憶することなく、全ての必要な情報を用いて所望の処理を行うことができる。
【０００３】
また、主にバックアップまたは負荷分散の目的で、複数のサーバにて同じ内容の情報を共有するミラーサーバシステムがある（例えば、特許文献２参照）。この種のミラーサーバシステムでは、ミラーサーバは、マスターサーバのファイルを自動的にコピーし、同じ内容のファイルを保持する。
【０００４】
また、移動局と固定局を含む構成のシステムもある。例えば、複数の移動局と少なくとも１つの固定局にそれぞれ情報処理装置を有し、各移動局に搭載された情報処理装置で情報を収集あるいは取得し、その情報を固定局に設置された情報処理装置において処理に利用する構成のシステムがある。具体的には、複数の艦艇がグループ行動し、陸上にてその状態を把握し、また各艦艇に対して指示を与える洋上防衛用情報管理システムが考えられる。
【０００５】
このような洋上防衛用情報管理システムでは、移動局である艦艇は、その情報処理装置により様々な情報を収集しながら行動する。陸上にある固定局は、その情報処理装置により各艦艇の情報処理装置に問い合わせてそれらの情報を取得し、また各艦艇に作戦行動に関する指示を与える。移動局の情報処理装置が収集する情報としては、例えば、気象や海象などの環境情報、自艦における資材の保有量や消費量、自艦の状態や行動、作戦進行の経過、敵または味方の行動や位置情報などが考えられる。、
この種のシステムでは、通常、陸上には複数の情報処理装置が存在し、各情報処理装置では様々なレベルの判断が行われる。また、各情報処理装置は地理的に分散して配置されていることも考えられる。そのため、各情報処理装置は互いに連携しつつも、異なる処理を独立して行う必要がある。
【特許文献１】特開平０８−１９４６３９号公報
【特許文献２】特開２００３−２９６２１１号公報
【発明の開示】
【発明が解決しようとする課題】
【０００６】
移動局を含むシステムでは、移動局と固定局の間において、衛星通信や地上波無線などの無線通信などが用いられる。一方、固定局同士の間では有線通信を用いることができる。一般に、有線通信の伝送容量に比べて無線通信の伝送容量が小さいので、システム性能が無線部分のスループットによって制限される場合が多い。
【０００７】
上述した洋上防衛用情報管理システムでは、各固定局の情報処理装置が互いに異なる処理を独立して行うため、固定局の情報処理装置から移動局への問合せはランダムなタイミングで発生し、一時に集中する可能性がある。移動局と固定局の間では、無線通信を利用しているので、その伝送容量が限定されている。したがって、従来システムでは、一時に問合せが集中すると回線が輻輳し、応答性が悪くなるなどの事態が生じる可能性があった。緊急時にこのような事態が生じた場合、その影響は大きなものとなることが考えられる。
【０００８】
また、上述したように、従来システムでは、各固定局の情報処理装置が互いに独立して処理を行っているため、複数の固定局から１つの移動局に対して同じ情報を要求することも考えられる。その場合には通信回線上に、同じ情報が複数回繰り返して伝送されることとなり、通信回線の効率の良い利用が図れず、実質的な伝送容量をさらに減少させる可能性があった。
【０００９】
なお、ここでは移動局が洋上の艦艇である場合を例示したが、航空機や車両であっても無線通信が用いられるので艦艇の場合と同様の問題がある。
【００１０】
本発明の目的は、移動局装置および固定局装置を含む情報処理装置間で効率良くデータを送受信して情報を共有することのできる情報管理システムを提供することである。
【課題を解決するための手段】
【００１１】
上記目的を達成するために、本発明の情報管理システムは、固定局と移動局でデータを共有するための情報管理システムであって、
前記移動局に備えられており、該移動局にて収集されるデータを記録し、前記データの変化分を示す差分情報を所定の周期で前記固定局に送信する移動局装置と、
前記固定局に備えられ、前記移動局にて収集される前記データと同じ内容のミラーデータを該移動局に対応させて保持しており、前記移動局装置から前記差分情報を受信すると、該差分情報に従って前記ミラーデータを更新し、他装置が前記移動局にて収集される前記データを所望するとき前記移動局装置に代わって該データに対応する前記ミラーデータを前記他装置に提供する固定局装置とを有している。
【００１２】
したがって、本発明によれば、移動局装置は固定局装置に所定周期で差分情報を通知し、他装置から要求されたデータは固定局装置から送られるので、移動局と固定局の間の回線上にデータが一時に集中することがない。また、固定局装置が各移動局装置と同じ内容のデータを記録しており、移動局装置が、前回までの内容との差分情報のみを固定局装置に送り、固定局装置が差分情報を内部のデータに反映させることができる。また、移動局装置がデータに生じた変化を示す差分情報を送る先、および他装置が移動局装置のデータを要求する先は、常に、ミラーデータを管理する固定局装置に固定される。
【００１３】
本発明の情報管理システムにおいて、前記移動局装置と前記固定局装置の間の通信は、前記固定局装置と前記他装置の間の通信に比べて伝送容量が小さいこととしてもよい。さらに、前記移動局装置と前記固定局装置の間の通信経路は無線区間を含み、前記固定局装置と前記他装置の間の通信経路は有線であるとしてもよい。
【００１４】
したがって、固定局装置は、各タスクグループの構成情報を管理しており、移動局装置にデータを送るとき、必要なデータと必要な送り先を構成情報を用いて抽出してデータを送るので、必要なデータを必要な移動局装置だけに送ることができる。
【００１５】
本発明の情報管理システムにおいて、前記移動局装置が前記差分情報を前記固定局に送る前記周期は、前記データの種類毎の時間特性に応じて定められることとしてもよい。
【００１６】
したがって、各データの時間特性に応じた周期で移動局装置から固定局装置に各データの差分情報が送られ、そのデータに必要な程度のリアルタイム性で差分情報が固定局装置に反映されるので、各データに必要なリアルタイム性を損なうことがない。
【００１７】
本発明の情報管理システムにおいて、複数の前記移動局がグループを構成し、前記固定局装置が前記グループの構成情報を管理しており、
前記固定局装置は、前記グループに関連するデータを前記移動局装置に送信するとき、該データを送る必要のある前記移動局装置を前記構成情報に基づいて抽出し、抽出された該移動局装置のみに該データを送ることとしてもよい。さらに、前記固定局装置は、前記構成情報において、前記グループに属する前記移動局を変更することができるものとしてもよい。
【００１８】
したがって、固定局装置は、各グループの構成情報を管理しており、移動局装置にデータを送るとき、送り先を構成情報を用いて抽出してデータを送るので、必要なデータを必要な固定局装置だけに送ることができる。
【発明の効果】
【００１９】
本発明によれば、移動局装置は固定局装置に所定周期で差分情報を通知し、他装置から要求されたデータは固定局装置から送られるので、移動局と固定局の間の回線上にデータが一時に集中することがなく、データ量は予め想定された範囲内に抑えられ、輻輳が発生する可能性が低減される。また、固定局装置が各移動局装置と同じ内容のデータを記録しており、移動局装置が、前回までの内容との差分情報のみを固定局装置に送り、固定局装置が差分情報を内部のデータに反映させるので、少ないデータ量の伝送で、移動局装置と同じデータを固定局装置上に維持することができる。
【００２０】
また、他装置は、移動局装置に直接にデータを要求することなく、固定局装置に要求し、そこから移動局装置にデータを送信するので、複数の他装置が同時にデータを要求しても、移動局装置と固定局装置の間が輻輳することがない。また、複数の他装置が同じデータを要求しても、移動局装置と固定局装置の間で同じデータが複数回伝送されることがなく、伝送されるデータ量を低減させることができる。
【００２１】
また、移動局装置が、データに生じた変化を示す差分情報を送る先は、常に、自身のミラーデータを管理している固定局装置なので、移動局装置の通信処理において宛先を振り分けるための判定が不要であり、処理が単純化される。また、他装置が移動局装置のデータを要求する先は、常に、ミラーデータを管理する固定局装置なので、他装置の通信処理において、宛先を振り分けるための判定が不要であり、処理が単純化される。
【００２２】
また、固定局装置は、各タスクグループの構成情報を管理しており、移動局装置にデータを送るとき、必要なデータと必要な送り先を構成情報を用いて抽出してデータを送るので、必要なデータを必要な移動局装置だけに送ることができ、移動局と固定局の間の回線上に不要なデータを流すことなく伝送容量を効率的に利用することができる。
【００２３】
また、各データの時間特性に応じた周期で移動局装置から固定局装置に各データの差分情報が送られ、そのデータに必要な程度のリアルタイム性で差分情報が固定局装置に反映されるので、各データに必要なリアルタイム性を損なうことなく、移動局と固定局の間の回線上のデータ量を削減することができる。
【００２４】
また、固定局装置は、各グループの構成情報を管理しており、移動局装置にデータを送るとき、送り先を構成情報を用いて抽出してデータを送るので、必要なデータを必要な固定局装置だけに送ることができ、移動局と固定局の間の回線上に不要なデータを流すことなく伝送容量を効率的に利用することができる。
【発明を実施するための最良の形態】
【００２５】
本発明の一実施形態について図面を参照して詳細に説明する。
【００２６】
図１は、本発明の一実施形態による情報管理システムの構成を示すブロック図である。図１を参照すると、情報管理システムは、ビークルサーバ１１、人工衛星１３、衛星通信地上局装置１４、およびミラーサーバ１５を有している。
【００２７】
ビークルサーバ１１は、移動局に搭載され、移動局にて収集される各種データを記録し、管理し、また通信衛星１３および衛星通信地上局装置１４を介してミラーサーバ１５との間でデータを送受信する。図１では移動局は一例として艦艇である。複数の艦艇がタスクグループを構成し、タスクグループ単位で作戦行動を行うことがある。移動局は、各種データの収集を行っており、また地上との間でデータを送受信している。
【００２８】
図２は、図１に示したビークルサーバの構成を示すブロック図である。図２を参照すると、ビークルサーバ１１は、データ収集部２１、データ管理部２２、差分通知部２３、およびデータ受信部２４を有している。
【００２９】
データ収集部２１は、移動局において逐次変化する各種データを収集し、データ管理部２２に送る。データ受信部２４は、ミラーサーバ１５から受信したデータをデータ管理部２２に送る。データ管理部２２は、データ収集部２１で収集されたデータ、およびデータ受信部２４で受信したデータを保持し、更新する。差分通知部２３は、データ管理部２２にて管理されている各種データの差分情報を、各データの時間特性に応じた周期でミラーサーバ１５に通知する。差分情報とは、前回の通知から内容が変化したデータに関する情報であり、例えばデータの種類と変化後の内容を示している。
【００３０】
なお、データの種類によっては、周期的な通知によらず、あるいは周期的な通知に加えて、イベント発生時に即時に通知することとしてもよい。
【００３１】
移動局にて収集されるデータには、時間特性の異なる様々なデータがある。時間特性とは、データ毎のリアルタイム性を要求する度合いである。ビークルサーバ１１は、それらデータを時間特性に応じて分類し、時間特性毎の周期でデータ変化の差分情報をミラーサーバ１１に通知する。移動局から地上へ、例えば、作戦行動の進行状況のデータは数分間隔で通知し、気象や海象に関するデータは数時間間隔で通知し、また資材の保有量のデータは数十時間間隔に通知すればよい。
【００３２】
図３は、ビークルサーバからミラーサーバへ差分情報を通知する様子の一例を示す図である。図３を参照すると、ビークルサーバ１１上のデータは行および列からなるマトリクス状に構成されている。そして、ビークルサーバ１１のデータに対応するミラーサーバ１５上のデータも同様のマトリクス状に構成されている。ここでは、１つの行がレコードであり、その中の各列の部分がサブセットであるとする。ハッチングは内容に変化があったことを示している。
【００３３】
ビークルサーバ１１は、ある時間特性に応じた周期毎に、その時間特性のデータに変化があったか否か調べ、変化があれば差分情報をミラーサーバ１５に通知する。ビークルサーバ１１は、図３に示した様に、あるサブセットの内容が変化していれば、そのサブセットの差分情報のみをミラーサーバ１５に送る。差分情報は、変化のあったサブセットの行および列と変更後の内容の情報が含んでいればよい。
【００３４】
人工衛星１３は、ビークルサーバ１１と衛星通信地上局装置１４の間の衛星通信を中継する。
【００３５】
衛星通信地上局装置１４は、人工衛星１３を介してビークルサーバ１１と通信し、そのデータをミラーサーバ１５との間でやりとりする。
【００３６】
ミラーサーバ１５は、地上の固定局に設置されており、衛星通信地上局装置１４および人工衛星１３を介してビークルサーバ１１と通信する。そして、ミラーサーバ１５は、各ビークルサーバ１１内と同じ構成および内容のデータをビークルサーバ１１毎に保持し、各ビークルサーバ１１から差分情報を通知されると、その内容に従って自身の保持しているデータを更新する。これにより、ミラーサーバ１５内には、ビークルサーバ１１の各々に対応して仮想的なビークルサーバのデータが構成される。以下、この仮想的に構成されたビークルサーバ１１のデータを「ミラーデータ」という。なお、ミラーサーバ１５は、複数のミラーデータを管理することができる。
【００３７】
また、ミラーサーバ１５は、タスクグループ内の構成情報を管理している。構成情報とは、どのビークルサーバ１１がどのタスクグループ１２に属しているかを含む情報である。あるタスクグループ１２に属するビークルサーバ１１に共通の情報を送るとき、ミラーサーバ１５は、どのビークルサーバ１１に送ればよいかを構成情報から知ることができる。
【００３８】
図４は、現実のビークルサーバと、ミラーサーバ内に構築された仮想的なビークルサーバの関係の一例を示す図である。図４においてビークルは移動局を示している。この例では、現実構成として、ビークル１〜３がタスクグループＴＧ１に属しており、ビークル４〜６がタスクグループＴＧ２に属している。それに対応して、仮想構成として、ビークル１〜６のミラーデータが現実構成に対応してミラーサーバ内に記録されている。そして、ビークル１〜３の属するタスクグループＴＧ１の共有データがビークル１〜３に関連付けて記録されている。また、ビークル４〜６の属するタスクグループＴＧ２の共有データがビークル４〜６に対応付けて記録されている。
【００３９】
図５は、ミラーサーバ内のデータの構成例を示す図である。図５は、ミラーサーバが陸上の司令部のレベルで設けられた例である。また、この図においてもビークルは移動局を示している。ミラーサーバはタスクグループＴＧ１、ＴＧ２の２つのタスクグループを管理している。各タスクグループに属するビークルサーバのデータは構成情報に基づいてツリー状に管理されている。タスクグループＴＧ１にはビークル１〜３が所属しており、タスクグループＴＧ２にはビークル４〜６が所属している。
【００４０】
例えば状況に応じた操作者の要求により、タスクグループに対する艦艇すなわち移動局（ビークル）の所属換えが行われることがある。タスクグループを構成する移動局が変更されると、ミラーサーバ１５は、それに従って構成情報を更新する。例えば、ミラーサーバ１５は、２つのタスクグループの構成情報を管理しており、一方のタスクグループに所属していた移動局が他方のタスクグループに所属変更されたとすれば、その変更内容に従って各タスクグループの構成情報を更新する。例えば、図５において、ビークル３をタスクグループＴＧ１からタスクグループＴＧ２へ所属換えするとする。その場合、構成情報の変更により、図５において矢印で示したようにツリー構成が変更される。
【００４１】
また、ミラーサーバ１５は、例えば操作者の要求に応じて、各ビークルサーバ１１にデータを送信する。そのとき、ミラーサーバ１５は、各ビークルサーバ１１に必要なデータのみを抽出して送信する。例えば、ミラーサーバ１５は、あるタスクグループ１２のみに通知すればよいデータを抽出し、そのタスクグループ１２に属する移動局に搭載されているビークルサーバ１１に送る。
【００４２】
また、ミラーサーバ１５には、ビークルサーバ１１のデータを利用して処理を実行するコンピュータ１６とネットワークを介して接続されている。コンピュータ１６は、ビークルサーバ１１のデータが必要なとき、ビークルサーバ１１に直接要求せず、ミラーサーバ１５に要求する。ミラーサーバ１５は、コンピュータ１６からデータを要求されると、ビークルサーバ１１と同じ内容に保たれているデータの中から、コンピュータ１６の求めるデータを取り出してコンピュータ１６に送る。
【００４３】
図６は、図１に示したミラーサーバの構成を示すブロック図である。上述の各動作を行うために、ミラーサーバ１５は、図６に示したように、構成管理部３１、差分受信部３２、データ管理部３３、送信データ抽出部３４、データ送信部３５、および共有処理部３６を有している。
【００４４】
構成管理部３１は、タスクグループの構成情報を管理している。
【００４５】
データ管理部３３は、各ビークルサーバ１１と同じ構成および内容からなるデータを、ミラーデータとして、各ビークルサーバ１１に対応させて保持する。また、データ管理部３３は、差分受信部３２で受信された差分情報に従ってミラーデータを更新する。
【００４６】
送信データ抽出部３４は、ビークルサーバ１１へのデータ送信を要求されると、送られるべきデータと、そのデータを送るべき対象を抽出する。例えば、ミラーサーバ１５にて管理されている、あるタスクグループに関するデータに変更が生じると、ミラーサーバ１５は、その変化分を示す変更データを抽出すると共に、自身の管理下にあるビークルサーバ１１の中から、そのタスクグループに属するビークルサーバ１１を抽出する。また、あるビークルサーバ１１に関するデータに変更が生じると、ミラーサーバ１５は、変更データと、そのビークルサーバ１１とを抽出する。
【００４７】
データ送信部３５は、送信データ抽出部３４で抽出されたデータを、送信データ３４で抽出された対象のビークルサーバ１１に送る。
【００４８】
共有処理部３６は、コンピュータ１６からの要求に応じ、データ管理部３３にて管理されているミラーデータの中から必要なデータをそのコンピュータ１６に送る。
【００４９】
以上説明したように、ビークルサーバ１１は地上のミラーサーバ１５に所定周期で差分情報を通知し、コンピュータ１６から要求されたデータはミラーサーバ１５からコンピュータ１６に送られるので、伝送容量の小さい無線回線上にデータが一時に集中することがなく、無線回線上のデータ量は予め想定された範囲内に抑えられ、輻輳が発生する可能性が低減される。また、ミラーサーバ１５が各ビークルサーバ１１と同じ構成および内容のデータを記録しており、ビークルサーバ１１が、前回までの内容との差分情報のみをミラーサーバ１５に送り、ミラーサーバ１５が差分情報を内部のデータに反映させるので、少ないデータ量の伝送で、ビークルサーバ１１と同じデータをミラーサーバ１５上に維持することができる。
【００５０】
また、コンピュータ１６は、ビークルサーバ１１に直接にデータを要求することなく、地上のミラーサーバ１５に要求し、ミラーサーバ１５がビークルサーバ１１にデータを送信するので、複数のコンピュータ１６が同時にデータを要求しても、無線回線が輻輳することがない。また、複数のコンピュータ１６が同じデータを要求しても、無線回線上を同じデータが複数回伝送されることがなく、無線通信にて伝送されるデータ量を低減させることができる。
【００５１】
また、ビークルサーバ１１が、データに生じた変化を示す差分情報を送る先は、常に、自身のデータを管理しているミラーサーバ１５なので、ビークルサーバ１１の通信処理において宛先を振り分けるための判定が不要であり、処理が単純化される。また、コンピュータ１６がビークルサーバ１１のデータを要求する先は、常に、そのデータを管理するミラーサーバ１６なので、コンピュータ１６の通信処理において、宛先を振り分けるための判定が不要であり、処理が単純化される。
【００５２】
また、各データの時間特性に応じた周期でビークルサーバ１１からミラーサーバ１５に各データの差分情報が送られ、そのデータに必要な程度のリアルタイム性で差分情報がミラーサーバ１５に反映されるので、各データに必要なリアルタイム性を損なうことなく、無線回線上のデータ量を削減することができる。
【００５３】
また、ミラーサーバ１５は、各タスクグループの構成情報を管理しており、ビークルサーバ１１にデータを送るとき、必要なデータと必要な送り先を構成情報を用いて抽出してデータを送るので、必要なデータを必要なビークルサーバ１１だけに送ることができ、無線回線上に不要なデータを流すことなく伝送容量を効率的に利用することができる。
【００５４】
なお、本実施形態では、移動局と固定局の間の無線通信に衛星通信を利用する例を示したが、本発明はそれに限定されるものではなく、地上波による無線通信等を利用する場合に広く適用可能である。そして、本発明は無線通信の伝送容量が優先通信の伝送容量に比べて小さい場合に特に有効である。
【００５５】
また、本実施形態では、移動局が艦艇である場合を例示したが、本発明はそれに限定されない。その他の例として航空機や車両にもビークルサーバが搭載され得るほか、サーバが仮設される場合、人間がサーバを携帯する場合など、サーバの移動や移設が可能な場合を広く含む。
【００５６】
また、本実施形態のビークルサーバ１１およびミラーサーバ１５は、所定の処理を有するソフトウェアプログラムをコンピュータで実行することにより実現可能である。
【図面の簡単な説明】
【００５７】
【図１】本発明の一実施形態による情報管理システムの構成を示すブロック図である。
【図２】図１に示したビークルサーバの構成を示すブロック図である。
【図３】ビークルサーバからミラーサーバへ差分情報を通知する様子の一例を示す図である。
【図４】現実のビークルサーバと、ミラーサーバ内に構築された仮想的なビークルサーバの関係の一例を示す図である。
【図５】ミラーサーバ内のデータの構成例を示す図である。
【図６】図１に示したミラーサーバの構成を示すブロック図である。
【符号の説明】
【００５８】
１１    ビークルサーバ
１２    タスクグループ
１３    人工衛星
１４    衛星通信地上局装置
１５    ミラーサーバ
１６    コンピュータ
２１    データ収集部
２２    データ管理部
２３    差分通知部
２４    データ受信部
３１    構成管理部
３２    差分受信部
３３    データ管理部
３４    送信データ抽出部
３５    データ送信部
３６    共有処理部
【図１】
2005258582.tif 000003
【図２】
2005258582.tif 000004
【図３】
2005258582.tif 000005
【図４】
2005258582.tif 000006
【図５】
2005258582.tif 000007
【図６】
2005258582.tif 000008